(57)【要約】【課題】オーダリングシステムが導入されている病院においてナースコール装置側のソフトウェアを変更することなく、病院毎に異なる患者情報のデータ形式をナースコール装置で解釈できるデータ形式に変換する。【解決手段】ナースコール子機２、廊下灯３、ナースコール親機４および制御機５を有するナースコール装置１と、病院の電子カルテ、投薬、会計等の患者情報のデータ入力を行うオーダリング装置６と、オーダリング装置から患者情報を受け取りナースコール親機にその患者情報を通知するＰＣナースサーバ７とを備えている。ＰＣナースサーバ７は、オーダリング装置で使用される病院によって異なる患者情報のデータ形式を判別し、ナースコール装置で患者情報として取り込みできるように患者情報データをカスタマイズするカスタマイズ手段７３０を有している。【選択図】図１
2006149797.tif 000002
【特許請求の範囲】
【請求項１】
患者が看護師を呼び出すためのナースコール子機（２）、前記ナースコール子機からの呼び出しを廊下灯（３）を介して看護師に知らせて前記呼び出しに応答するためのナースコール親機（４）、前記ナースコール親機および前記廊下灯を制御する制御機（５）を有するナースコール装置（１）と、病院の電子カルテ、投薬、会計等の患者情報のデータ入力を行うオーダリング装置（６）と、前記オーダリング装置から前記患者情報を受け取り前記ナースコール親機にその患者情報を通知するＰＣナースサーバ（７）とを備え、
前記ＰＣナースサーバは、前記オーダリング装置で使用される病院によって異なる患者情報のデータ形式を判別し、前記ナースコール装置で患者情報として取り込みできるように患者情報データをカスタマイズするカスタマイズ手段（７３０）を有することを特徴とする患者情報ネットワークシステム。
【請求項２】
前記ＰＣナースサーバは、前記オーダリング装置で使用される病院によって異なる患者情報のデータを前記ナースコール装置で使用している患者情報に変換するため変換規則を入力する規則入力手段（７３０a）を有することを特徴とする請求項１記載の患者情報ネットワークシステム。
【請求項３】
前記ＰＣナースサーバは、前記変換規則をチェックする変換規則チェック手段（７３０ｃ）を有することを特徴とする請求項２記載の患者情報ネットワークシステム。
【請求項４】
前記ＰＣナースサーバは、前記オーダリング装置で使用される病院によって異なる患者情報のデータを前記ナースコール装置で使用している患者情報に変換してデータシミュレートを行うデータシミュレート手段（７３０ｄ）を有することを特徴とする請求項２又は請求項３記載の患者情報ネットワークシステム。
【請求項５】
前記ＰＣナースサーバは、前記患者情報の格納領域指定、文字列の長さ、取り込み、取り込み中断等の条件を絞込む条件絞込み手段（７３０ｆ）を有することを特徴とする請求項１乃至請求項４何れか１項記載の患者情報ネットワークシステム。
【発明の詳細な説明】
【技術分野】
【０００１】
本発明は患者情報ネットワークシステムに係り、特に、ナースコール装置にオーダリングシステムが導入されている患者情報ネットワークシステムに関する。
【背景技術】
【０００２】
従来から、この種の患者情報ネットワークシステムとして、オーダリングシステムが導入されているナースコール装置が知られている（例えば、特許文献１参照）。
【０００３】
このナースコール装置は、病室内の各病床に設置されるナースコール子機と、病室毎に設置されナースコール子機からの呼び出しを検出して呼出信号を制御機へと送信する廊下灯と、制御機からの呼出信号を受信して通報するナースコール親機と、病院内ネットワークに接続され患者のオーダリング情報である患者情報データを提供するデータベース装置（オーダリング装置）と、データベース装置に保存されている患者情報データを記録、保存、検索するナースコール用データベース装置（ＰＣナースサーバ）とを備えている。また、ナースコール用データベース装置は、データベース装置から定期的に転送されてくる患者情報データを表示する表示部と、表示部に表示された患者情報を記録、保存、検索するためのキーボード等の設定操作部とを有している。
【０００４】
このナースコール装置は、ナースコール用データベース装置の患者情報表示設定画面を表示させた状態で、設定操作部で病院のカルテ、投薬、会計等の患者情報を変更すると、その変更データはデータベース装置に伝送される。データベース装置は変更されたデータに基づき患者情報データを書き換え、以後、その書き換えられた患者情報データをナースコール用データベース装置に転送することになる。
【０００５】
このようなデータベース装置に保存される患者情報データは、患者情報の項目、形式や、取り込み条件が病院毎に異なることが多い。例えば図４に示すように、病院Ａのデータベース装置１００において入退院等による患者情報の変更があると、データベース装置１００はナースコール用データベース装置２００に変更された患者情報データを伝送する。ナースコール用データベース装置２００は、データベース用受信手段２０１ａでこの患者情報データを受信して患者情報解析手段２０１ｂに送信する。患者情報解析手段２０１ｂは、病院Ａの固有の変換規則を翻訳プログラム内に組み込んでいるためにその変換規則に沿って、ナースコール用データベース装置側で解釈できるデータ形式に変換する。その後、患者情報解析手段２０１ｂで変換されたデータを、親機用送信手段２０１ｃでナースコール親機３００に伝送する。ナースコール親機３００では、データ受信手段３０１ａで変換データを受信した後、データ表示手段３０１ｂの表示画面に患者情報を表示することができる。また、同時に、ナースコール親機３００は制御機同期手段３０１ｃで制御機４００に対して必要な情報の更新を行っている。
【０００６】
【特許文献１】特開２００４−３１３５４４号公報
【発明の開示】
【発明が解決しようとする課題】
【０００７】
しかしながら、背景技術において示したナースコール装置では、データベース装置に保存される患者情報データは患者情報の項目、形式や、取り込み条件が病院毎に異なることが多いので、ナースコール用データベース装置２００が備えた患者情報解析手段２０１ｂの翻訳プログラム内に組み込まれた変換規則を病院毎に変更しなければならなかった。また、ナースコール用データベース装置２００で、データベース装置１００で使用されている患者情報データが実際にどのようなデータ形式で格納されているのかを確認する手段がなかった。
【０００８】
本発明は、このような従来の難点を解決するためになされたもので、オーダリングシステムが導入されている病院においてナースコール装置側のソフトウェアを変更することなく、病院毎に異なる患者情報のデータ形式をナースコール装置で解釈できるデータ形式に変換することができ、而も患者情報データのデータ形式を変換する変換規則が正しいか否かを確認することができる患者情報ネットワークシステムを提供することを目的とする。
【課題を解決するための手段】
【０００９】
本発明の患者情報ネットワークシステムは、患者が看護師を呼び出すためのナースコール子機、ナースコール子機からの呼び出しを廊下灯を介して看護師に知らせて呼び出しに応答するためのナースコール親機、ナースコール親機および廊下灯を制御する制御機を有するナースコール装置と、病院の電子カルテ、投薬、会計等の患者情報のデータ入力を行うオーダリング装置と、オーダリング装置から患者情報を受け取りナースコール親機にその患者情報を通知するＰＣナースサーバとを備えているものである。
【００１０】
第１の態様である患者情報ネットワークシステムのＰＣナースサーバは、オーダリング装置で使用される病院によって異なる患者情報のデータ形式を判別し、ナースコール装置で患者情報として取り込みできるように患者情報データをカスタマイズするカスタマイズ手段を有するものである。
【００１１】
このような患者情報ネットワークシステムによれば、ナースコール装置側のソフトウェアを変更することなく、病院毎に異なる患者情報データのデータ形式をナースコール装置で解釈できるデータ形式に変換することができるようになる。
【００１２】
また、ＰＣナースサーバは、オーダリング装置で使用される病院によって異なる患者情報のデータをナースコール装置で使用している患者情報に変換するため変換規則を入力する規則入力手段を有するものである。これにより、ナースコール装置で認識している患者項目に対して、どのようにオーダリング装置の患者情報データを割り当てるかを、ＰＣナースサーバで記述できるようになる。
【００１３】
また、ＰＣナースサーバは、変換規則をチェックする変換規則チェック手段を有するものである。これにより、規則入力手段で入力した変換規則にミスがないかを確認することができるようになる。
【００１４】
また、ＰＣナースサーバは、オーダリング装置で使用される病院によって異なる患者情報のデータをナースコール装置で使用している患者情報に変換してデータシミュレートを行うデータシミュレート手段を有するものである。これにより、規則入力手段で入力した変換規則にミスがないか、また、規則入力手段で入力した変換規則にミスがなかったことを変換規則チェック手段で確認した患者情報データに項目洩れ等がないかを、テスト段階で検証することができるようになる。
【００１５】
また、ＰＣナースサーバは、患者情報の格納領域指定、文字列の長さ、取り込み、取り込み中断等の条件を絞込む条件絞込み手段を有するものである。これにより、絞込み条件に適合した患者情報のみをナースコール親機に通知することができる。
【発明の効果】
【００１６】
本発明の患者情報ネットワークシステムによれば、オーダリングシステムが導入されている病院においてナースコール装置側のソフトウェアを変更することなく、病院毎に異なる患者情報のデータ形式をナースコール装置で解釈できるデータ形式に変換することができる。
【００１７】
また、患者情報データのデータ形式を変換する変換規則が正しいか否かを確認することができるので、患者情報データが正しくナースコール装置で認識できるデータ形式に変換できているかをテスト段階で確認することができるようになる。
【発明を実施するための最良の形態】
【００１８】
以下、本発明の患者情報ネットワークシステムにおける好ましい実施の形態例について、図面を参照して説明する。
【００１９】
この患者情報ネットワークシステムは図１に示すように、患者が看護師や医者（以下、「看護師等」という。）を呼び出すためのナースコール子機２、ナースコール子機２からの呼び出しを廊下灯３を介して看護師等に知らせて呼び出しに応答するためのナースコール親機４、ナースコール親機４および廊下灯３を制御する制御機５を有するナースコール装置１と、病院の電子カルテ、投薬、会計等の患者情報のデータ入力を行うオーダリング装置６と、オーダリング装置６から患者情報を受け取りナースコール親機４にその患者情報を通知するＰＣナースサーバ７とを備えている。
【００２０】
ナースコール装置１のナースコール子機２は、各病室内の患者のベッドサイドに設置され、ナースステーション内の看護師等を呼び出すための呼出ボタン２１と、患者が看護師等と通話するためのマイク２２、スピーカ２３とを備えている。
【００２１】
廊下灯３は、ナースコール子機２を制御（信号処理、通話路の選択等）するために各病室の出入口近傍に設置されている。この廊下灯３は、患者の氏名等を表示することができる電子表示部を有する廊下灯でもよい。
【００２２】
ナースコール親機４は、ナースステーションに設置され、看護師等が患者と通話するためのハンドセットや患者から呼び出されたとき着信音を発生する着信音発生部等を有する通話機４１と、後述するＰＣナースサーバ７から伝送される患者情報を表示する液晶パネル等の表示部４２１、患者情報の項目について記録、保存、検索の操作を行うスイッチ、キーボード、マウス、タッチパネル等の設定操作部４２２およびＣＰＵ、主記憶装置、ハードディスク等が内蔵された本体部４２３から成るパーソナルコンピュータ４２とを備えている。なお、図中においては、設定操作部４２２としてタッチパネルが示されている。
【００２３】
制御機５は、中継器として設置され、ナースコール親機４の通話機４１、廊下灯３をそれぞれ制御（信号処理、通話路の選択等）する。
【００２４】
このような構成のナースコール装置１のナースコール子機２は子機接続幹線Ｌ１を介して廊下灯３に接続され、廊下灯３は制御機接続幹線Ｌ２を介して制御機５に、親機接続幹線Ｌ３を介してパーソナルコンピュータ４２の本体部４２３にそれぞれ接続され、また、制御機５は通話機幹線Ｌ４を介して通話機４１に接続されている。
【００２５】
また、オーダリング装置６は、患者のオーダリング情報である病院の電子カルテ、投薬、会計等の患者情報のデータ入力を行うことができれば、サーバやパーソナルコンピュータ等の何れのデータベース装置でもよい。
【００２６】
また、ＰＣナースサーバ７は、パーソナルコンピュータをサーバとして用いてもよく、要するに、オーダリング装置６から患者情報を受け取りナースコール親機４にその患者情報を通知すると共に、患者情報の項目について記録、保存、検索の操作を行うことができれば、どのようなデータベース装置でもよい。このようなＰＣナースサーバ７は、液晶パネル等の表示部７１と、スイッチ、キーボード、マウス、タッチパネル等の設定操作部７２と、ＣＰＵ、主記憶装置、ハードディスク等が内蔵された本体部７３とを備えている。なお、図中においては、設定操作部７２としてタッチパネルが示されている。
【００２７】
本体部７３は、オーダリング装置６で使用される病院によって異なる患者情報のデータ形式を判別し、ナースコール装置１で患者情報として取り込みできるように患者情報データをカスタマイズするカスタマイズ手段７３０を有している。このカスタマイズ手段７３０は図２に示すように、規則入力手段７３０ａ、規則取り込み手段７３０ｂ、変換規則チェック手段７３０ｃ、データシミュレート手段７３０ｄ、実行手段７３０ｅおよび条件絞込み手段７３０ｆから成るもので、通常はシステムの施行業者や病院関係者等から選ばれた管理者が操作するものである。
【００２８】
規則入力手段７３０ａは、オーダリング装置６で使用される病院によって異なる患者情報のデータをナースコール装置１で使用している患者情報に変換するため変換規則を入力するもので、例えば、キーボードや表示部７１に設けられたタッチパネル７２が採用される。この変換規則は翻訳プログラム内に組み込まれているもので、Ｃ言語等のプログラム言語によって構文（文字列）が定められている。これにより、ナースコール装置１で認識している患者項目に対して、どのようにオーダリング装置６の患者情報データを割り当てるかを、ＰＣナースサーバ７で記述できるようになる。規則取り込み手段７３０ｂは、規則入力手段７３０ａで入力した変換規則を翻訳プログラムで認識できるデータ形式に変換するツールで、翻訳プログラム内に組み込まれ当該翻訳プログラムでその変換規則を自動認識させるものである。したがって、操作者は、規則入力手段７３０ａで簡単に変換規則を変更するだけで、規則取り込み手段７３０ｂがプログラム認識することができるので、病院毎に独自の翻訳プログラムを作成する必要がなくなる。
【００２９】
変換規則チェック手段７３０ｃは、規則入力手段７３０ａで入力した変換規則をチェックするツールで、翻訳プログラム内に組み込まれ文字列に構文上のミスがないかを判断する構文解析手段である。この判断結果は、表示部７１に表示することができる。
【００３０】
データシミュレート手段７３０ｄは、オーダリング装置６で使用される病院によって異なる患者情報のデータをナースコール装置１で使用している患者情報に変換してデータシミュレートを行うツールで、翻訳プログラム内に組み込まれている。これにより、規則入力手段７３０ａで入力した変換規則にミスがないか、また、規則入力手段７３０ａで入力した変換規則にミスがなかったことを変換規則チェック手段７３０ｃで確認した患者情報データに項目洩れ等がないかを、テスト段階で検証することができるようになる。
【００３１】
実行手段７３０ｅは、規則取り込み手段７３０ｂにて取り込んだ変換規則に沿ってオーダリング装置６から伝送された患者情報データを、ナースコール装置１で解釈できるデータ形式に変換するツールで、翻訳プログラム内に組み込まれている。これにより、ナースコール装置側で使用している翻訳プログラム内に組み込まれている変換規則を病院毎に変更することなく、病院毎に異なる患者情報データのデータ形式をナースコール装置１で解釈できるデータ形式に変換することができるようになる。
【００３２】
条件絞込み手段７３０ｆは、患者情報の格納領域指定、文字列の長さ、取り込み、取り込み中断等の条件を絞込むツールで、翻訳プログラム内に組み込まれている。これにより、絞込み条件に適合した患者情報のみをナースコール親機４に通知することができる。
【００３３】
また、本体部７３は、オーダリング装置用受信手段７３１、ナースコール親機用送信手段７３２を有している。オーダリング装置用受信手段７３１は、オーダリング装置６から伝送された患者情報データを受信するもので、受信回路等から構成されている。また、ナースコール親機用送信手段７３２は、カスタマイズ手段７３０でカスタマイズされた患者情報データをナースコール親機４に送信するもので、送信回路等から構成されている。
【００３４】
このようなナースコール装置１のナースコール親機４、オーダリング装置６およびＰＣナースサーバ７は、それぞれＬＡＮ（Ｌｏｃａｌ  Ａｒｅａ  Ｎｅｔｗａｒｋ）ケーブルＬ５に接続されている。このＬＡＮにおいては、接続方式としてはイーサネット（登録商標）が好ましい。
【００３５】
なお、ナースコール装置１は図１中において１セットしか示していないが、ＬＡＮケーブルＬ５に複数接続してもよく、また、ナースコール装置１を構成する各機器も複数設置してもよいことは言うまでもない。
【００３６】
このように構成された患者情報ネットワークシステムの動作について、以下説明する。
【００３７】
まず、オーダリング装置６にデータ入力されている病院の電子カルテ、投薬、会計等の患者情報データのデータ形式をナースコール装置１で解釈できるデータ形式に変換する作業について説明する。
【００３８】
管理者は、ＰＣナースサーバ７のカスタマイズ手段７３０が有する規則入力手段７３０ａを操作して、表示部７１に図３に示すような変換規則設定画面を表示させる。この設定画面には、患者情報の各項目、例えば、「１．氏名」、「２．住所」、「３．性別」、「４．患者状態」、「５．医師」が表示される。この患者情報の各項目が記録されたファイル名称とその格納場所も表示するようにするとよい。このオーダリング装置６から伝送されたファイルのうち、１１バイト目から８バイト分を氏名のエリアとする病院Ａの場合は、規則入力手段７３０ａで、例えば「１．氏名（１１，８）」と入力すると、オーダリング装置６からのデータのうち１１バイト目から８バイトを氏名と認識することができるので、オーダリング装置６とナースコール装置１のデータの関連付けが完了する。また、性別が「１」に選択設定されている場合において、病院Ａのナースコール装置１では男性としたい場合には、例えば「３．性別  ｉｆ（３０，１）  ＝  ‘１’  ‘男性’」と入力すると、オーダリング装置６からのデータのうち３０バイト目の１バイトを用いて仮定文を作ることができるので、項目の関連付けとともにデータ表示方法の変換が可能となる。さらに、この病院Ａでは患者状態についてはナースコール装置側で表示したくない場合には、「４．患者状態」の後に何も入力しなければ関連付けがされず、ＰＣナースサーバ７の表示部７１にも表示されないことになる。なお、他の項目の値により自項目のデータを取り込む場合は、条件絞込み手段７３０ｆで絞込み条件を「性別が男性の場合のみ、患者情報を表示」等と設定することで可能となる。
【００３９】
このようにしてオーダリング装置６で使用される患者情報データを病院Ａのナースコール装置１で使用している患者情報に変換した後に、その変換規則である文字列が構文的に正しいかを変換規則チェック手段７３０ｃでチェックする。例えば、「１．氏名」を本来は「（１１，８）」と入力すべきところを、「（１１，８」とか「（１１  ８）」等と入力した場合は、正しく構文解析ができないために事前に作業者に対して入力ミスであることを、ＰＣナースサーバ７の表示部７１などによって通知する。
【００４０】
次に、変換規則チェック手段７３０ｃで正常にデータ変換されたものとして認識された患者情報の変換データを、データシミュレート手段７３０ｄを使用して事前変換テストを実行する。例えば、「１．氏名」がオーダリング装置６から伝送された患者情報データの１１バイト目から８バイト分入っていた場合において、「１．氏名（１１，８）」と入力しなければならないにも拘らず、「１．氏名（１０，８）」と入力した場合には、変換規則チェック手段７３０ｃでは入力エラーにはならないが、実際には不正のデータとなってしまう。そこで、データシミュレート手段７３０ｄを利用して、オーダリング装置６で使用される患者情報のデータをナースコール装置１で使用している患者情報に変換してデータシミュレートを行う。
【００４１】
具体的には、変換規則チェック手段７３０ｃで正常にデータ変換されたものとして認識された患者情報の変換データを、テストデータとして予め定められた固定ディレクトリに格納する。そのテストデータをデータシミュレート手段７３０ｄでデータシミュレートを行うと、データシミュレート手段７３０ｄは必要な項目、例えば「４．患者状態」が抜けていたり、氏名等の必要なデータが途中で切れていないかを確認することができる。
【００４２】
このように変換規則チェック手段７３０ｃおよびデータシミュレート手段７３０ｄは、あらゆる病院のオーダリング仕様から成る患者情報の種々のデータ形式が、ナースコール装置１で解釈できるデータ形式に変換できているかをテスト段階で事前検証することができる。
【００４３】
また、この変換規則チェック手段７３０ｃおよびデータシミュレート手段７３０ｄで正常な変換データとして認識することができれば、オーダリング装置６で使用される患者情報データを病院Ａのナースコール装置１で使用している患者情報として利用することができる。即ち、ＰＣナースサーバ７のカスタマイズ手段７３０はオーダリング装置６から伝送された患者情報データをオーダリング装置用受信手段７３１で受信後、実行手段７３０ｅで変換規則に沿ってナースコール装置１で解釈できるデータ形式に変換し、その変換データをナースコール親機用送信手段７３２でＬＡＮケーブルＬ７に伝送させることができる。したがって、ＬＡＮケーブルＬ７に伝送された変換データである患者情報データはナースコール親機４の本体部４２３で受信され、表示部４２１で患者情報として表示できるので、看護師等がナースコール親機４で病院の電子カルテ、投薬、会計等の患者情報を記録、保存、検索することができるようになる。
【図面の簡単な説明】
【００４４】
【図１】本発明の患者情報ネットワークシステムにおける好ましい実施の形態例を示す全体構成図。
【図２】本発明の患者情報ネットワークシステムの主要構成要素であるＰＣナースサーバを示す機能ブロック図。
【図３】カスタマイズ手段の規則入力手段を操作してＰＣナースサーバの表示部に表示させる設定画面を示す説明図。
【図４】従来のナースコール用データベース装置（ＰＣナースサーバ）を示す機能ブロック図。
【符号の説明】
【００４５】
１……ナースコール装置
２……ナースコール子機
３……廊下灯
４……ナースコール親機
５……制御機
６……オーダリング装置
７……ＰＣナースサーバ
７３０……カスタマイズ手段
７３０ａ……規則入力手段
７３０ｃ……変換規則チェック手段
７３０ｄ……データシミュレート手段
７３０ｆ……条件絞込み手段
【図１】
2006149797.tif 000003
【図２】
2006149797.tif 000004
【図３】
2006149797.tif 000005
【図４】
2006149797.tif 000006